(57)【要約】【課題】振動を伝達する振動体を直線状のものとし、この直線状の振動体をハンドピース本体から延出させるとともに、この直線状の延出部に所定の角度をもってチップを着脱自在に取り付け（螺着）可能とし、チップを直線状とすることでチップの製作を容易にし、かつ、チップの先端が常に同じ方向に向くことによって、ライトガイドの光照射をチップ先端部に集中可能とし、より効果的にチップ先端（作業箇所）を照明できるようにする。【解決手段】振動子１と、該振動子１の振動を伝達する振動体２と、該振動体２に着脱可能に取りつけられるチップ２０とから成る。振動体２は振動子１と一体的にかつ直線状に形成され、ハンドピース本体５より延出し、前記チップ２０は前記直線状の振動体２に対して所定の角度θをもって着脱自在に螺合される。【選択図】        図１
2004173965.tif 000002
【特許請求の範囲】
【請求項１】
振動子と、該振動を伝達する振動体と、該振動体に着脱可能に取りつけられるチップとから成り、前記振動体は前記振動子と一体的にかつ直線状に形成されてハンドピース本体より延出し、前記チップは該延出した部分において、前記直線状の振動体に対して所定の角度をもって着脱自在に螺合されることを特徴とする歯科用振動治療具。
【請求項２】
前記チップの先端近傍を照明するライトガイドを有することを特徴とする請求項１に記載の歯科用振動治療具。
【発明の詳細な説明】
【０００１】
【発明の属する技術分野】
本発明は、歯科治療において、歯石除去、ルートプレーニング（Ｒｏｏｔ  Ｐｌａｉｎｎｉｎｇ）、根管の拡大、洗浄等を行うのに使用する振動子付き歯科用振動治療具に関する。
【０００２】
【従来の技術】
歯科治療においては、歯石の除去、根面の平面化（Ｒｏｏｔ  Ｐｌａｉｎｎｉｎｇ）、根管の拡大、洗浄等を行うために、最近では、一般的には、超音波振動子やエアー振動子を用いたハンドピースを使用している。
【０００３】
図３（Ａ）は、超音波振動子を用いたハンドピース１０の例としての周知の超音波スケーラ（ｓｃａｌｅｒ）の一例を説明するための要部断面構成図、図３（Ｂ）は、図３（Ａ）の矢印Ｂ−Ｂ線方向から見た図で、図中、１は超音波振動子、２は該超音波振動子１の振動が伝搬される超音波振動体、３は接続プラグ部、４（４１〜４ｎ）はライトガイドで、これらがハンドピース本体５内に収納され、前記超音波振動体２にチップ（作業工具）２０が着脱自在に螺着され、該チップ２０が超音波振動されて歯石の除去が行われる。また、光源ランプからの光がライトガイド４（４１〜４ｎ）内に導入され、該ライトガイド４（４１〜４ｎ）を通してハンドピース本体の先端部にまで伝達され、該先端部より、図３（Ｂ）に４１〜４ｎにて示すように、円環状に放射されてチップ２０の先端部（作業部）を照明するようにしている。
【０００４】
従来の歯科用超音波治療具は、前述のように、チップ（作業工具）２０は、超音波振動体２にねじ等によって着脱可能に装着されるようになっているが、螺着した時のチップ２０の向きが、どちらに向くかは不定であり、そのため、チップ２０がどちらを向いてもよいように、ライトガイド４を多数本（４１〜４ｎ）用い、その光放出端を、図３（Ｂ）に示したように、円環状に配設している。（例えば、特許文献１参照）
【０００５】
【特許文献１】
特開平９−１０２２７号公報
【０００６】
【発明が解決しようとする課題】
上述のように、歯科用超音波振動（又はエアー振動）治療具において、従来のチップ（作業工具）は、振動体にネジで取り付けるため、チップ先がどの方向を向いて固定されるか特定できない。そこで、ハンドピース先端から放射される光はリング状であることが一般的である。しかし、リングライトの照射範囲は狭く、チップ２０の先は図示のように曲がっており、特に、図４に示すような根管治療を行うために、チップ２０の先端にＵファイルやプラガー２０′を取り付けるタイプの先端（治療部位）を照らすことは不可能である。
【０００７】
本発明は、上述のごとき実情に鑑みてなされたもので、振動を伝達する振動体を直線状のものとし、この直線状の振動体をハンドピース本体から延出させるとともに、この直線状の延出部に所定の角度をもってチップを着脱自在に取り付け（螺着）可能とし、もって、チップを直線状とすることでチップの製作を容易にし、かつ、チップの先端が常に同じ方向に向くようにすることによって、ライトガイドの光照射をチップ先端部に集中可能とし、より効果的にチップ先端（作業箇所）を照明できるようにすることを目的としてなされたものである。
【０００８】
【課題を解決するための手段】
請求項１の発明は、振動子と、該振動を伝達する振動体と、該振動体に着脱可能に取りつけられるチップとから成り、前記振動体は前記振動子と一体的にかつ直線状に形成されてハンドピース本体より延出し、前記チップは該延出した部分において、前記直線状の振動体に対して所定の角度をもって着脱自在に螺合されることを特徴としたものである。
【０００９】
請求項２の発明は、請求項１の発明において、前記チップの先端近傍を照明するライトガイドを有することを特徴としたものである。
【００１０】
【発明の実施の形態】
図１は、本発明による歯科用振動治療具の一実施例を説明するための要部構成図で、図中、図３に示した従来技術と同様の作用をする部分には、図３の場合と同一の参照番号が付してある。而して、本発明においては、超音波振動子又はエアー振動子（以降、両者を含めて超音波振動子という）１の振動を伝達するための超音波振動体２は、ハンドピース１０の先端から直線状に延出し、その延出部にチップ２０が着脱自在に（例えば、螺着等によって）所定の角度θをもって装着されるようになっている。
【００１１】
図２は、図１に示した超音波振動子１と超音波振動体２の一体物をハンドピース１０から取り出した時の状態を示す図で、図２（Ｂ）に示すように、チップ２０の一端には、雄ネジ２０ａが設けられており、これに対応して、超音波振動体２のハンドピース本体１０より延出した所定の位置に、該延出部の軸線に対して所定の角度（θ）をもつ雌ネジ２ａが設けられており、該雌ネジ２ａにチップ２０の雄ネジ２０ａが着脱自在に装着されるようになっている。
【００１２】
上記超音波振動体２は、ハンドピース製作時、ハンドピース本体５内に一体的に組み込まれるものであるから、チップ２０を取り付ける取り付け箇所及び取り付けたチップの向きを予め設定することができ、従って、チップ２０の先端位置（作業部位）も予め決まっているので、ライトガイド４から放射される光の照射方向も予め決定するので、ライトガイド４からの照射光を、前記作業部位に集中させることができる。
【００１３】
【発明の効果】
以上の説明から明らかなように、本発明によると、超音波振動体は、チップ取り付け用のネジを該超音波振動体の長軸方向に対して、ある角度を付けて設けるようにしたので、
（１）超音波振動体に取り付けるチップをまっすぐな物にすることで、チップの取り付け位置及び取り付け角度は一定となる。また、チップの作成に当り、曲げの工程が入らないので、チップの品質の安定性を向上させ、さらには、チップのコストを下げることができる。
（２）ライトガイドはリング状にする必要は無く、かつ、チップ先端に光を当てることができる。そのため、作業部位に効率よく照射することができ、作業精度が上がる。
等の利点がある。
【図面の簡単な説明】
【図１】本発明による歯科用振動治療具の一実施例を説明するための要部構成図である。
【図２】図１に示した振動子と振動体の一体物をハンドピース本体から取り出した時の状態を示す図である。
【図３】振動子を用いたハンドピースの例としての周知の超音波スケーラ（ｓｃａｌｅｒ）の一例を説明するための要部遮断構成図である。
【図４】ライトガイドの照射例を示す図である。
【符号の説明】
１…超音波振動子（又はエアー振動子）、２…振動体、３…接続プラグ部、４（４１〜４ｎ）…ライトガイド、５…ハンドピース本体、１０…ハンドピース、２０…チップ（作業工具）。
【図１】
2004173965.tif 000003
【図２】
2004173965.tif 000004
【図３】
2004173965.tif 000005
【図４】
2004173965.tif 000006